(57)【特許請求の範囲】
【請求項１】
枠組足場の建枠横材に係止される足場板係止フックの滑動を阻止して足場板の位置を規制する金具であって、金具本体は、上横板部とこれの一端部から下向きに垂設された規制板とによって倒Ｌ字状に形成されるもので、上横板部の他端部側をクランプを介して建枠縦材に固定し且つ規制板の下端部を建枠横材に乗せた状態で、建枠縦材及び建枠横材とのコーナー部に所要の空間部を形成するようになっている枠組足場の足場板規制金具。
【請求項２】
金具本体には、足場板の側縁部側に配置される桁側幅木の両端面に突出した係止金具を係止する係止溝を備えた両側一対の桁側幅木取付板部を設けている請求項１に記載の枠組足場の足場板規制金具。
【請求項３】
両側一対の桁側幅木取付板部と金具本体との間に横断面コ字状の妻側幅木取付部を形成し、この妻側幅木取付部に、足場板の端縁部側に配置される妻側幅木の端部を嵌合するようにした請求項２に記載の枠組足場の足場板規制金具。
【発明の詳細な説明】
【０００１】
【発明の属する技術分野】
本発明は、枠組足場の建枠横材に架け渡された足場板がその幅方向に移動しないように規制する足場板規制金具に関する。
【０００２】
【従来の技術及びその課題】
枠組足場の建枠横材に、複数の足場板を夫々係止フックを介して並列状態に架け渡した場合、一般に建枠の内側幅寸法に対し、足場板の設置幅寸法が小さいことから、足場板にその幅方向の力が作用すると、足場板の係止フックが建枠横材に沿って滑動して、足場板間に隙間を生じ、その隙間から、施工用の各種資材、機材、工具等の物品が散逸落下して、他の作業者更には第三者に被害を与える等の危険性がある。
【０００３】
本発明は、上記の問題に鑑み、枠組足場の建枠横材上での足場板係止フックの滑動を簡単に阻止して足場板の位置を規制し、もって足場板間に隙間が生じるのを防止する足場板規制金具を提供することを目的とする。
【０００４】
また、枠組足場において、建枠の縦材と横材とのコーナー部分は、足場を構築するに際して、安全ネット用ロープその他の種々の部材が取り付けられる部分であり、このコーナー部分の空間を確保することが足場設置に対して重要となる。そこで、本発明は、建枠の縦材と横材とのコーナー部分に空間部を確保して、建枠に取り付けることのできる足場板規制金具を提供することを他の目的とする。本発明の更に他の目的は、以下に説明する本発明の実施形態の説明によって理解されるであろう。
【０００５】
【課題を解決するための手段】
請求項１に係る発明の足場板規制金具は、枠組足場の建枠横材２ｂに係止される足場板係止フック４の滑動を阻止して足場板１の位置を規制する金具であって、金具本体５は、上横板部５ｂとこれの一端部から下向きに垂設された規制板５ａとによって倒Ｌ字状に形成されるもので、上横板部５ｂの他端部側をクランプ６を介して建枠縦材２ａに固定し且つ規制板５ａの下端部を建枠横材２ｂに乗せた状態で、建枠縦材２ａと建枠横材２ｂとのコーナー部に所要の空間部８を形成するようになっていることを特徴とする。
【０００７】
請求項２は、請求項１に記載の枠組足場の足場板規制金具において、金具本体５には、足場板１の側縁部側に配置される桁側幅木９の両端面に突出した係止金具１０を係止する係止溝１１，１２を備えた両側一対の桁側幅木取付板部１３，１３を設けていることを特徴とする。
【０００８】
請求項３は、請求項２に記載の枠組足場の足場板規制金具において、両側一対の桁側幅木取付板部１３，１３と金具本体５との間に横断面コ字状の妻側幅木取付部１６を形成し、この妻側幅木取付部１６に、足場板１の端縁部側に配置される妻側幅木１７の端部を嵌合するようにしたことを特徴とする。
【０００９】
【発明の実施の形態】
図１は枠組足場において隣合う建枠２，２の対向する横材２ｂ，２ｂに足場板１を２列に架け渡した状態ならびに各建枠２に本発明の足場板規制金具３を取り付けた状態を示す斜視図であり、図２はその平面図である。図３は足場板規制金具３の取付状態を示す拡大斜視図であり、図４の（Ａ）は足場板規制金具３の平面図、（Ｂ）は正面図、（Ｃ）は側面図である。本発明の足場板規制金具３は、金具本体５の一端部を建枠２の横材２ｂに乗せ、他端部を建枠２の縦材２ａに固定することにより、建枠横材２ｂ上での足場板係止フック４の滑動を阻止して足場板１の位置を規制し、これによって例えば２列状態にある両足場板１，１間に隙間ができないようにする金具である。
【００１０】
上記足場板規制金具３の構造について更に詳細に説明すると、この金具３は、図３及び図４から分かるように、鋼板をプレス加工して形成された金具本体５を有し、この金具本体５は、上横板部５ｂと、この上横板部５ｂの一端部から垂直下向きに延設された規制板５ａとによって倒Ｌ字状に形成されると共に、上横板部５ｂの他端部から垂直上向きに取付板部５ｃが折曲延設されたもので、取付板部５ｃにはパイプクランプ６が連結され、そして規制板５ａの下端面には建枠横材２ｂの外周面部に係合する円弧状の係合凹部７が形成されている。
【００１１】
この足場板規制金具３の特徴の一つは、上横板部５ｂと規制板５ａとで倒Ｌ字状に形成された金具本体５が、金具本体５の取付板部５ｃをパイプクランプ６を介して建枠縦材２ａに固定し且つ規制板５ａ下端部の円弧状係合凹部７を建枠横材２ｂに乗せた状態において、建枠２の縦材２ａと横材２ｂとのコーナー部に所要の空間部８を形成し、この空間部８によって上記コーナー部に足場構築用の種々の部材を取り付けることができるようになっていることである。
【００１２】
また、この足場板規制金具３の金具本体５には、対向する一対の両側板部１３，１３と両側板部１３，１３をつなぐ連結板部１４とからなる横断面コ字状の取付金具１５が、金具本体５の外側面、即ち規制板５ａの前記空間部８とは反対側の側面に溶接によって固着されていて、この取付金具１５の両側板部１３，１３が桁側幅木取付板部を形成し、しかしてこれら桁側幅木取付板部１３，１３には夫々、足場板１の側縁部側に配置される桁側幅木９の両端面に突出した上下２つの係止金具１０，１０を係止するための係止溝１１，１２が形成されている。
【００１３】
上記取付金具１５は、金具本体５の規制板５ａに固着された連結板部１４と両側板部１３，１３との間に横断面コ字状の妻側幅木取付部１６を形成し、この妻側幅木取付部１６に、足場板１の端縁部に沿うように配置される妻側幅木１７の端部が嵌合されるようになっている。
【００１４】
尚、この実施形態では、金具本体５の規制板５ａに横断面コ字状の取付金具１５を固着して、この取付金具１５の両側板部１３，１３に夫々係止溝１１，１２を形成しているが、このような横断面コ字状の取付金具１５の代え、夫々係止溝１１，１２を形成した両側一対の側板材（桁側幅木取付板部）を金具本体５の規制板５ａ外側面の両側縁部に固着するようにしてもよいし、あるいは夫々係止溝１１，１２を形成した両側一対の側板部を規制板５ａの両側縁部から一体に延設するようにしてもよい。しかして、その場合には、金具本体５の規制板５ａと両側板材（又は側板部）との間に、前記横断面コ字状の妻側幅木取付部１６が形成されることになる。
【００１５】
図３及び図４の（Ｂ）から分かるように、各桁側幅木取付板部１３に形成された２つの係止溝１１，１２のうち、上部側の係止溝１１は、取付板部１３の上端から下向きに真っ直ぐに形成されており、下部側の係止溝１２は、取付板部１３の外側端から斜め下向きに切り込まれた後、下向きに形成されている。
【００１６】
図７の（Ａ）は桁側幅木９をその内側面側から見た正面図、(a) は同桁側幅木９の端面図であり、（Ｂ）は妻側幅木１７をその内側面側から見た正面図、(b)は同妻側幅木１７の端面図である。先ず、桁側幅木９は、図７の（Ａ）及び(a)に示すように、鋼板を横断面略々コ字状に折曲してなる幅木本体９ａの両端部に夫々略々コ字枠状の端部キャップ９ｂを取り付けると共に、この端部キャップ９ｂに係止金具１０，１０を突設してなるもので、幅木本体９ａの長さは、足場板１の長さと略々同じである。また、妻側幅木１７は、同図の（Ｂ）及び(b) に示すように、鋼板を横断面略コ字状に折曲してなる幅木本体１７ａの両端部に夫々略コ字枠状の端部キャップ１７ｂを取り付けてなるもので、幅木本体１７ａの長さは、例えば足場板１の横幅の略々２倍分の長さに相当する。尚、係止金具１０は、軸部１０ａと、これの先端部に突設された径大頭部１０ｂとからなる。
【００１７】
前記足場板規制金具３のパイプクランプ６は、周知構造のもので、図４から分かるように、抱持台１８と、この抱持台１８の一端部に枢着された抱持アーム１９と、抱持台１８の他端部に枢支されたクランプ用螺軸２０とからなり、抱持台１８と抱持アーム１９との間にパイプ、即ち建枠縦材２ａを抱持して、クランプ用螺軸２０の遊端部側を抱持アーム１９先端部の係入溝（図示せず）に係入し、ナット２１を締め付けることによって、金具本体５の取付板部５ｃ側を縦材２ａに固定するようになっている。
【００１８】
上記のような構成よりなる足場板規制金具３の使用方法について説明すると、図１及び図２に示すように、先ず、枠組足場を設置し、隣合う建枠２，２の対向する横材２ｂ，２ｂに足場板１を、その両端部の足場板係止フック４，４を介して２列状態に架け渡し、この２列状態の両足場板１，１を隙間ができないように建枠２の横材２ｂに沿ってその中央側へ引き寄せると共に、横材２ｂの両端部に夫々一定の隙間を設ける、つまり建枠２の各縦材２ａと各足場板１の外側の係止フック４との間に一定の間隙を設けるようにする。
【００１９】
しかして、図１及び図２に示すように、各建枠縦材２ａにおける横材２ｂとの交差部近傍に、金具本体５の取付板部５ｃに連結されたパイプクランプ６を取り付け、金具本体５の規制板５ａ下端部の円弧状係合凹部７を建枠横材２ｂの上側面部に係合させた位置で、パイプクランプ６を締め付けて固定し、これにより足場板規制金具３を各建枠横材２ｂの両端部側に夫々取り付ける。この時、図３から分かるように、各足場板規制金具３の金具本体５の規制板５ａが各足場板１の外側の足場板係止フック４の外側面に近接又は当接した位置にあって、これにより足場板係止フック４の滑動を阻止して、足場板１の位置を規制することができ、従って足場板１，１間に隙間ができるのを防止することができる。
【００２０】
次に、上記足場板規制金具３に設けてある両側一対の桁側幅木取付板部１３，１３を利用して、足場板１に桁側幅木９を取り付ける。この桁側幅木９の取付けにあたっては、桁側幅木９の両端面に突出した係止金具１０，１０を、建枠２に取り付けてある足場板規制金具３の桁側幅木取付板部１３の係止溝１１，１２に夫々挿入することによって、図５に示すように、桁側幅木９を足場板１の外側縁部上に立てた状態に簡単容易に取り付けることができる。
【００２１】
この場合、桁側幅木取付板部１３の係止溝１１，１２は、上部側の係止溝１１が取付板部１３の上端から下向きに真っ直ぐに形成され、下部側の係止溝１２が取付板部１３の外端面から斜め下向きに切り込まれて下向きに形成されているから、取付後に桁側幅木９に上向きの力が作用しても、この桁側幅木９が簡単に離脱するおそれがない。
【００２２】
また、枠組足場の端部においては、妻側幅木１７の両端部を、建枠２の相対向する縦材２ａ，２ａとその横材２ｂの両端部との夫々のコーナー部に取り付けてある足場板規制金具３，３の横断面コ字状妻側幅木取付部１６，１６に夫々嵌合することによって、図６に示すように、妻側幅木１７を建枠２の横材２ｂに沿った位置に取り付けることができる。この場合、妻側幅木１７の両端部を相対向する足場板規制金具３，３の妻側幅木取付部１６，１６に嵌め込むだけでよいから、その取付作業が非常に簡単容易となる。
【００２３】
また、この足場板規制金具３の金具本体５は、上横板部５ｂと、これの一端部から垂直下向きに延設された規制板５ａとで倒Ｌ字状に形成されると共に、上横板部５ｂの他端部から垂直上向きに取付板部５ｃが折曲延設されたもので、その取付板部５ｃをパイプクランプ６で建枠縦材２ａに固定し、規制板５ａ下端部を建枠横材２ｂに乗せた状態で、建枠２の縦材２ａと横材２ｂとのコーナー部に所要の空間部８が形成されるから、この空間部８を有効に利用することができる。即ち、建枠２の縦材２ａと横材２ｂとのコーナー部分は、足場を構築する際に、安全ネット用ロープその他の種々の部材が取り付けられる部分であることから、空間部８が形成されることによって、当該コーナー部分への各種部材の設置を妨げることがない。
【００２４】
【発明の効果】
請求項１に係る発明の足場板規制金具によれば、金具本体の一端部を建枠横材に乗せ、他端部を建枠縦材に固定するようにしたから、建枠横材上での足場板係止フックの滑動を阻止して、足場板の位置を規制し、それにより並列状に架け渡された足場板間に隙間ができるのを防止し、作業の安全を図ることができる。
【００２５】
また本発明によれば、上横板部の他端部をクランプを介して建枠縦材に固定し、規制板の下端部を金具本体の一端部を建枠横材に乗せた状態で、金具本体が、建枠縦材と建枠横材とのコーナー部に所要の空間部を形成するようになっているから、足場を構築するに際して、上記のコーナー部に安全ネット用ロープその他の種々の部材が設置されるのを妨げることがない。
【００２６】
請求項２に係る発明の足場板規制金具によれば、金具本体には、足場板の側縁部側に配置される桁側幅木の両端面に突出した係止金具を係止する係止溝を備えた両側一対の桁側幅木取付板部が設けてあるから、桁側幅木を簡単容易に取り付けることができる。
【００２７】
請求項３に係る発明の足場板規制金具によれば、両側一対の桁側幅木取付板部と金具本体との間に横断面コ字状の妻側幅木取付部を形成し、この妻側幅木取付部に、足場板の端縁部側に配置される妻側幅木の端部を嵌合できるようにしているから、妻側幅木を簡単容易に取り付けることができる。
【図面の簡単な説明】
【図１】  枠組足場の建枠横材に足場板を２列に架け渡した状態、及び建枠
に本発明の足場板規制金具を取り付けた状態を示す斜視図である。
【図２】  図１に示す枠組足場の平面図である。
【図３】  足場板規制金具の取付状態を示す拡大斜視図である。
【図４】  （Ａ）は足場板規制金具の平面図、（Ｂ）は正面図、（Ｃ）は側
面図である。
【図５】  足場板規制金具を利用して桁側幅木を取り付ける状態を示す斜視
図である。
【図６】  足場板規制金具を利用して妻側幅木を取り付ける状態を示す斜視
図である。
【図７】  （Ａ）は桁側幅木をその内側面側から見た正面図、(a) は同桁側幅木の端面図であり、（Ｂ）は妻側幅木をその内側面側から見た正面図、(b)は同妻側幅木の端面図である。
【符号の説明】
１          足場板
２          建枠
２ａ        建枠縦材
２ｂ        建枠横材
３          足場板規制金具
４          足場板係止フック
５          金具本体
５ａ        規制板
５ｂ        上横板部
６          クランプ
８          空間部
９          桁側幅木
１０        係止金具
１１，１２  係止溝
１３        桁側幅木取付板部
１６        横断面コ字状の妻側幅木取付部
１７        妻側幅木
【図１】
0003870319.tif 000002
【図２】
0003870319.tif 000003
【図３】
0003870319.tif 000004
【図４】
0003870319.tif 000005
【図５】
0003870319.tif 000006
【図６】
0003870319.tif 000007
【図７】
0003870319.tif 000008